(57)【要約】【課題】反転板から生じる音と、キートップのガタツキによる音とを同時に効果的に防音でき、部品点数が増加することもない押釦スイッチを提供する。【解決手段】キートップ本体７１にスイッチ押圧部７３を設けてなるキートップ７０と、キートップ７０のスイッチ押圧部７３によって押圧操作される反転板４０付きのスイッチ４５を設置したスイッチ基板３０と、キートップ７０を上下動自在に支持するケース１００とを具備する。キートップ本体７１とスイッチ基板３０間に、反転板４０の上面を覆った状態でキートップ７０をスイッチ基板３０から離す方向に弾発してキートップ７０のつば部７５をケース１００の下面に押し付けるゴム状弾性材からなる消音部材５０を設置する。消音部材５０はスイッチ押圧部７３を挿通する押圧部挿通部５１を有して反転板４０を覆っている。【選択図】図３
2009076414.tif 000002
【特許請求の範囲】
【請求項１】
キートップ本体にスイッチ押圧部を設けてなるキートップと、前記キートップのスイッチ押圧部によって押圧操作される反転板付きのスイッチを設置したスイッチ設置部材と、前記キートップを上下動自在に支持するキートップ支持部材とを具備し、
前記キートップ本体とスイッチ設置部材間に、前記反転板の上面を覆った状態で、キートップをスイッチ設置部材から離す方向に弾発してキートップをキートップ支持部材に押し付けるゴム状弾性材からなる消音部材を設置し、
さらに前記消音部材は前記キートップのスイッチ押圧部を挿通する押圧部挿通部を有して反転板を覆っていることを特徴とする押釦スイッチ。
【請求項２】
前記キートップはキートップ本体の外周から突出するつば部を有し、
前記キートップ支持部材は、前記キートップ本体を上下動自在に挿通する開口を有するケースであり、
前記ケースの開口から前記キートップ本体を突出すると共に、前記消音部材の弾発力によってキートップのつば部をケースの開口周囲の面に押し付けることを特徴とする請求項１に記載の押釦スイッチ。
【発明の詳細な説明】
【技術分野】
【０００１】
本発明は、キートップによってスイッチを押圧してオンオフさせる構造の押釦スイッチに関するものである。
【背景技術】
【０００２】
従来、例えば図５に示すように、取付板５１０上に、スイッチ５３１を設けたフレキシブルスイッチ基板５３０を載置し、さらにその上にキートップ５５０とケース５７０とを設置して構成される押釦スイッチ５００がある。ここでスイッチ５３１は、フレキシブルスイッチ基板５３０上に形成した接点パターン上に反転板５３５を取り付ける構造である。またキートップ５５０はケース５７０に設けた開口５７１内に上下動自在に支持されその外周からつば部５５３を突出してなるキートップ本体５５１と、キートップ本体５５１の下面から突出して前記反転板５３５上に設置される押圧部５５５とを具備して構成されている。
【０００３】
そしてキートップ５５０を押圧すれば、キートップ５５０全体が下降してその押圧部５５５が反転板５３５を押圧してこれを反転し、スイッチ５３１がオンする。前記キートップ５５０への押圧を解除すれば、反転板５３５が元の形状に自動復帰すると同時にスイッチ５３１がオフする。
【０００４】
ところで前記押釦スイッチ５００においては、反転板５３５が反転又は反転解除する際に音が発生する。一方キートップ５５０はその押圧部５５５が反転板５３５の上面中央に当接すると同時につば部５５３がケース５７０下面の開口５７１の周囲に当接している状態でなければ、キートップ５５０はがたついて振動し音が発生する。
【０００５】
そして前記反転板５３５の反転又は反転解除時の音を防止する従来の方法として、反転板５３５の上面を防音用の弾性シートで覆う方法がある〔例えば特許文献１の図２に示す弾性シート（４０）参照〕。
【０００６】
一方キートップ５５０のガタツキによる音を防止する従来の方法として、例えばフレキシブルスイッチ基板５３０とキートップ５５０の間にコイルバネを設置し、キートップ５５０を常にフレキシブルスイッチ基板５３０から離れる方向に弾発し、これによってキートップ５５０のつば部５５３をケース５７０下面の開口５７１の周囲に弾接しておく方法がある。
【０００７】
しかしながら上述のように反転板５３５の上面を弾性シートで覆って反転板５３５の音を防音する方法の場合、弾性シートはその厚みが薄いので、さらなる防音効果の増大の要求には応えられなかった。また反転板５３５の反転による音と、キートップ５５０のガタツキによる音の両者を同時に防音しようとすると、弾性シートとコイルバネの２部品が必要となり、部品点数が増加してしまい、製造コストの上昇を招いてしまう。
【０００８】
またこの押釦スイッチ５００は電子機器に組み込まれ、キートップ５５０は電子機器の外装ケース６００に設けた開口６０１から外部に突出することとなるが、外装ケース６００の上部からキートップ５５０が突出する突出寸法は正確に一定にする必要があり、この寸法を正確に一定にするためには、ケース５７０上面とキートップ５５０上面間の高さ寸法Ｌを正確に一定にする必要がある。従ってつば部５５３をケース５２０下面に必ず当接させておく必要があるが、そのためにも押圧部５５５の下面が反転板５３５の上面中央に必ず当接（弾接）している必要がある。しかしながら押圧部５５５の反転板５３５への当接位置は組立誤差等によって押圧方向に多少ばらつくので、スイッチオフの状態のはずが、反転板５３５が反転してしまってオン状態となってしまう恐れもあった。
【特許文献１】特開２００２−１９７９４７号公報
【発明の開示】
【発明が解決しようとする課題】
【０００９】
本発明は上述の点に鑑みてなされたものでありその目的は、スイッチ用の反転板から生じる音と、キートップのガタツキによる音とを同時に効果的に防音でき、さらに部品点数が増加することもない押釦スイッチを提供することにある。
【課題を解決するための手段】
【００１０】
本願請求項１に記載の発明は、キートップ本体にスイッチ押圧部を設けてなるキートップと、前記キートップのスイッチ押圧部によって押圧操作される反転板付きのスイッチを設置したスイッチ設置部材と、前記キートップを上下動自在に支持するキートップ支持部材とを具備し、前記キートップ本体とスイッチ設置部材間に、前記反転板の上面を覆った状態で、キートップをスイッチ設置部材から離す方向に弾発してキートップをキートップ支持部材に押し付けるゴム状弾性材からなる消音部材を設置し、さらに前記消音部材は前記キートップのスイッチ押圧部を挿通する押圧部挿通部を有して反転板を覆っていることを特徴とする押釦スイッチにある。
【００１１】
本願請求項２に記載の発明は、前記キートップはキートップ本体の外周から突出するつば部を有し、前記キートップ支持部材は、前記キートップ本体を上下動自在に挿通する開口を有するケースであり、前記ケースの開口から前記キートップ本体を突出すると共に、前記消音部材の弾発力によってキートップのつば部をケースの開口周囲の面に押し付けることを特徴とする請求項１に記載の押釦スイッチにある。
【発明の効果】
【００１２】
請求項１に記載の発明によれば、ゴム状弾性材からなる消音部材によって、反転板の上面を覆うと同時に、キートップをキートップ支持部材に押し付けるように弾発するので、反転板から生じる音を防音できると同時に、キートップのガタツキを防止できてキートップのガタツキによる音も防止できる。特にこの消音部材は、反転板の上面からキートップの反転板に対向する面の間に設置されるのでその厚みが厚く、反転板の反転及び反転解除によって生じる音の防音効果が高い。またゴム状弾性材からなる消音部材を用いているので、反転板を反転したキートップが元の位置に上昇（自動復帰）する際に、キートップを容易に平行移動させることができ、キートップ支持部材とキートップが当接する面同士を面接触にて当接させることができ、これによってキートップがキートップ支持部材に当接する当接音も消音できる。また消音部材は１部品で構成できるので、部品点数が増加することもない。またキートップのスイッチ押圧部を直接反転板上に当接することができるので、反転板を押圧又は押圧解除する際の押圧操作感覚（クリック感覚）を良好な状態に保ったまま、効果的な消音効果が得られる。
【００１３】
請求項２に記載の発明によれば、キートップのつば部が消音部材の弾発力によって常にケースの開口周囲の面に押し付けられるので、ケースから突出するキートップの高さ寸法を正確に一定にでき、この押釦スイッチを電子機器に組み込んで、キートップを電子機器の外装ケースから突出させた際、キートップの外装ケースからの突出寸法を正確に一定にできる。その際、キートップの弾発は消音部材が行い、反転板によらないので、スイッチオフの状態で反転板がキートップのスイッチ押圧部に当接してこれを弾接しておく必要がなく、従ってスイッチオフの状態でキートップによって反転板が押圧されてスイッチがオンしてしまう恐れはない。
【発明を実施するための最良の形態】
【００１４】
以下、本発明の実施形態を図面に基づいて詳細に説明する。
図１は本発明の１実施形態にかかる押釦スイッチ１を上側から見た分解斜視図、図２は押釦スイッチ１を下側から見た分解斜視図、図３は押釦スイッチ１の概略側断面図（図１のＡ−Ａ線部分の断面図）である。これらの図に示すように押釦スイッチ１は、取付台１０上に、反転板４０を取り付けたスイッチ設置部材（以下「スイッチ基板」という）３０と、消音部材５０と、キートップ７０と、キートップ支持部材（以下「ケース」という）１００とを設置して構成されている。以下各構成部品について説明する。なお以下の説明において、「上」とはスイッチ基板３０からキートップ７０側を向く方向を言い、「下」とはその反対側を向く方向を言う。
【００１５】
取付台１０は平板状の硬質板〔例えば金属板（鉄板等）や合成樹脂板（ＡＢＳ樹脂板等）〕によって構成され、その所定位置（ケース１００に設けた下記する係止部１０７にそれぞれ対向する位置）に矩形状の貫通する小孔からなる取付部１１を設けて構成されている。
【００１６】
スイッチ基板３０は可撓性を有するフレキシブルスイッチ基板であり、可撓性を有する合成樹脂フイルム〔この実施形態ではポリエチレンテレフタレート（ＰＥＴ）フイルム〕３１の上面に一対のスイッチ接点パターン３３，３５を設けると共に、スイッチ接点パターン３５の外周を囲む位置であって、前記取付台１０に設けた各取付部１１に対向する位置に各取付部１１と同一形状の貫通する小孔からなる取付部３７を設けて構成されている。スイッチ接点パターン３３は小円形に形成され、スイッチ接点パターン３５はスイッチ接点パターン３３を囲む形状（少なくとも反転板４０の外周辺の一部が当接する形状）に形成されている。またスイッチ接点パターン３３，３５は銀ペーストやカーボンペースト等の導電ペーストを印刷することによって形成されている。もちろんスイッチ接点パターン３３，３５は他の各種形状にて形成しても良いし、金属箔のエッチング等、他の各種方法にて形成しても良い。なお可撓性のある合成樹脂フイルム３１を構成する材料としては、上記材質以外に、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００１７】
反転板４０は導電性とバネ弾性とを有する弾性板を上方向に凸となる略ドーム形状に形成して構成されている。
【００１８】
消音部材５０はゴムのような弾性を有する部材、即ちゴム状弾性部材を、上下面が平面状のリング形状に形成して構成されている。さらに具体的に言えば、外周側面が円筒状であり、上下面が前記円筒の中心軸に対して垂直な平行面となっており、またその中央の前記中心軸部分に上下に貫通する円形の押圧部挿通部５１を有して構成されている。消音部材５０の外径は前記反転板４０の外周全体を覆うように、反転板４０の外径寸法よりも少し大きい外径寸法に形成されている。また前記押圧部挿通部５１は、下記するキートップ７０のスイッチ押圧部７３を挿通する内径寸法に形成されている。消音部材５０の材質としてはゴム製又は合成樹脂製の弾性体を用いている。具体的にこの実施形態では消音部材５０として、高発泡ウレタンフォーム又は高発泡シリコンフォーム〔例えば株式会社ロジャースイノアックの商品名「ポロン（ＰＯＲＯＮ）」又は「ナンネックス（ＮａｎＮｅｘ）」等〕を用いている。何れの部材においても、高い衝撃（振動）吸収性と、低圧縮残留性（いわゆるヘタリが小さい）とを有している。
【００１９】
キートップ７０は合成樹脂製であり、キートップ本体７１と、キートップ本体７１の下面中央に設けたスイッチ押圧部７３と、キートップ本体７１の下部外周から外方に向かって張り出す当接部（以下「つば部」という）７５とを具備して構成されている。キートップ本体７１は柱状であってその下面側には凹部７７が設けられている。キートップ押圧部７３は略円柱状であって凹部７７の底面から下方向に向かって突出しており、その先端はキートップ本体７１の下面よりも下方に突出している。つば部７５はその外形が略矩形状に形成され、その下面は前記キートップ本体７１の下面と一致している。なおキートップ７０を構成する合成樹脂としては、例えば熱可塑性のＡＢＳ樹脂やＰＢＴ樹脂やＰＯＭ樹脂等を用いる。
【００２０】
ケース１００はこの実施形態では金属板（例えば鉄板）を用いており、この金属板を下面が開放された矩形状（箱型）に折り曲げ加工して上面１０１と４つの側面１０３とを設け、これによってその下面側に収納部１１０を形成して構成されている。上面１０１には前記キートップ７０のキートップ本体７１を挿通する寸法の開口１０５が設けられている。４つの側面１０３の内、対向する一対の側面１０３の下端辺からは下方向に向かって舌片状に一対ずつ突出する係止部１０７が設けられている。なおこの実施形態ではケース１００として金属板を用いたが、合成樹脂等、他の各種材質のものを用いて構成しても良い。
【００２１】
次に押釦スイッチ１の組立方法を説明する。まず予めスイッチ基板３０のスイッチ接点パターン３３，３５上に反転板４０を図示しない接着シート等によって取り付けておく。このとき反転板４０の少なくとも外周の一部がスイッチ接点パターン３５に当接接続され、同時に反転板４０の下面中央がスイッチ接点パターン３３と所定の隙間を介して対向することでスイッチ４５（図３参照）が構成される。そしてまずケース１００の収納部１１０内に、その下側からキートップ７０を収納する。次に前記キートップ７０の下面側に消音部材５０を設置する。このときスイッチ押圧部７３の先端を消音部材５０の押圧部挿通部５１に挿通する。なお消音部材５０はキートップ７０に接着材などによって取り付けても良いし、取り付けなくても良い。次に消音部材５０の下側に前記反転板４０を取り付けたスイッチ基板３０と取付台１０とを設置し、その際一致する各取付部１１と各取付部３７に、ケース１００の各係止部１０７を挿入し、取付台１０の下面から突出する各係止部１０７先端を取付台１０の下面に折り曲げて固定する。これによって押釦スイッチ１が完成する。
【００２２】
即ちこの押釦スイッチ１は図３に示すように、キートップ本体７１にスイッチ押圧部７３を設けてなるキートップ７０と、キートップ７０のスイッチ押圧部７３によって押圧操作される反転板４０付きのスイッチ４５を設置したスイッチ基板３０と、キートップ７０を上下動自在に支持するケース１００とを具備し、キートップ本体７１とスイッチ基板３０間に、反転板４０の上面を覆った状態（反転板４０の上面に当接した状態）で、キートップ７０をスイッチ基板３０から離す方向に弾発してキートップ７０（そのつば部７５）をケース１００（その下面）に押し付けるゴム状弾性材からなる消音部材５０を設置して構成されている。このときキートップ７０はケース１００に押し付けられるように弾発されているので、例えこの押釦スイッチ１に振動を与えても、キートップ７０がガタツキくことはなく、キートップ７０のガタツキによる音を防止することができる。
【００２３】
次に押釦スイッチ１の動作を説明する。即ち図３においてキートップ７０の上面を下方向に向かって押圧すると、反転板４０の弾発力及び消音部材５０の弾発力（消音部材５０の弾発力は反転板４０の弾発力に比べて小さい）に抗してキートップ７０は下降し、図４に示すように、反転板４０が反転してその下面中央がスイッチ接点パターン３３に当接し、スイッチ４５がオンする。一方キートップ７０への押圧を解除すると、反転板４０はその弾性復帰力によってキートップ７０を押し上げながら図３に示す元の形状に自動復帰し、その際スイッチ４５はオフする。
【００２４】
そして反転板４０の反転時及び反転解除時に、反転板４０から音と振動が発生するが、この音と振動はその上を覆っている消音部材５０が吸収する。特にこの消音部材５０は、反転板４０の上面からキートップ７０の反転板４０に対向する面の間に設置されるのでその厚みが厚く、反転板４０の反転及び反転解除によって生じる音の防音効果が高い。
【００２５】
またゴム状弾性材からなる消音部材５０を用いており、この消音部材５０の上下面は上述のように平行な平面状なので、反転板４０を反転したキートップ７０が元の位置に上昇（自動復帰）する際にキートップ７０は平行移動し、このためケース１００下面の開口１０５周囲の面とキートップ７０のつば部７５上面とが当接する際に面接触にて当接させることができ、これによってキートップ７０がケース１００に当接する当接音も消音できる。  さらにこの押釦スイッチ１によれば、消音部材５０として発泡樹脂製のゴム状弾性材を用いているので、消音部材５０自体が効果的に音を吸収し、さらに効果的な消音効果を発揮できる。
【００２６】
一方この押釦スイッチ１の場合、消音部材５０にキートップ７０のスイッチ押圧部７３を挿通する押圧部挿通部５１を設けているので、キートップ７０のスイッチ押圧部７３が直接反転板４０上に当接し、従って反転板４０を押圧又は押圧解除する際の押圧操作感覚（クリック感覚）を良好な状態に保つことができる。つまり良好なクリック感覚と、効果的な消音効果とが同時に得られる。
【００２７】
またキートップ７０のつば部７５が消音部材５０の弾発力によって常にケース１００の開口１０５周囲の面に押し付けられるので、ケース１００から突出するキートップ７０の高さ寸法を正確に一定にでき、この押釦スイッチ１を図示しない電子機器に組み込んで、キートップ７０を電子機器の外装ケースから突出させた際、キートップ７０の外装ケースからの突出寸法を正確に一定にできる。その際、キートップ７０の弾発は消音部材５０が行い、反転板４０によらないので、スイッチオフの状態で反転板４０がキートップ７０のスイッチ押圧部７３に当接してこれを弾接しておく必要がなく、従ってスイッチオフの状態でキートップ７０によって反転板４０が押圧されてスイッチがオンしてしまう恐れはない。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではスイッチとして、一対のスイッチ接点パターン３３，３５上に可動接点板となる反転板４０を設置したスイッチ４５を用いているが、例えば２枚の合成樹脂フイルムの対向する側の面に所定の隙間を介して一対のスイッチ接点パターンを対向して形成し、一方の合成樹脂フイルムのスイッチ接点パターンを設けた裏面側に反転板（この場合反転板には導電性がなくても良い）を取り付けることで構成されるスイッチ（いわゆるメンブレンタイプのスイッチ）を用いても良いし、さらにそれ以外の各種構成のスイッチを用いてもよい。要は反転板付きのスイッチであればどのような構造のスイッチであっても良い。また上記実施形態ではスイッチ基板３０としてフレキシブルスイッチ基板を用いたが、硬質のスイッチ基板を用いても良く、その場合は取付台１０を省略しても良い。また上記実施形態ではスイッチを設ける部材としてスイッチ基板を用いたが、基板以外の各種スイッチ設置部材上に反転板付きのスイッチを設置しても良い。
【００２９】
また上記実施形態ではケース１００を箱型に形成したが、必ずしも箱型でなくても良く、例えば平板状であってその所定位置にキートップ本体を露出する開口を設けるものであっても良い。要はキートップを上下動自在に支持するキートップ支持部材であれば、どのような形状・構造であっても良い。また上記実施形態では消音部材を反転板の外周全体を略覆う寸法形状に構成したが、反転板の外形寸法よりもかなり大きい外形寸法としても良く、逆に場合によっては反転板の外形寸法よりも小さい外形寸法としても良い。また上記実施形態では消音部材に押圧部挿通部を設けたが、場合によっては押圧部挿通部は省略しても良い。また上記実施形態では消音部材として発泡樹脂を用いたが、場合によっては発泡ゴム又は発泡していない合成樹脂やゴムを用いても良い。
【図面の簡単な説明】
【００３０】
【図１】押釦スイッチ１を上側から見た分解斜視図である。
【図２】押釦スイッチ１を下側から見た分解斜視図である。
【図３】押釦スイッチ１の概略側断面図である。
【図４】押釦スイッチ１の動作説明図である。
【図５】押釦スイッチ５００の概略側断面図である。
【符号の説明】
【００３１】
１  押釦スイッチ
１０  取付台
３０  スイッチ基板（スイッチ設置部材）
４０  反転板
４５  スイッチ
５０  消音部材
５１  押圧部挿通部
７０  キートップ
７１  キートップ本体
７３  スイッチ押圧部
７５  つば部
１００  ケース（キートップ支持部材）
１０５  開口
【図１】
2009076414.tif 000003
【図２】
2009076414.tif 000004
【図３】
2009076414.tif 000005
【図４】
2009076414.tif 000006
【図５】
2009076414.tif 000007